(57)【特許請求の範囲】
【請求項１】
ガイドレールによって区画された略円形状の遊技領域を有する遊技盤と、前記遊技領域の最下部位置に設けられたアウト口と、このアウト口の上方に近接配置された開閉扉を有するアタッカ装置とを備え、電子抽選の結果に基づいて前記開閉扉が回動して大入賞口を開放するパチンコ機において、
前記ガイドレールの下部滑走面に前記アウト口に向かって下り勾配で傾斜する誘導面が設けられていると共に、前記下部滑走面と前記誘導面との境界部に前記アウト口に向かって高さ寸法を漸次大きくする段差が形成されており、前記遊技盤の前面に前記下部滑走面に沿って左右方向へ延びる規制板を設け、この規制板を前記アウト口を包囲して前記開閉扉との間に延在させると共に該開閉扉よりも左右方向へ延出させ、前記規制板の板厚を前記アウト口の周囲から前記開閉扉の左右方向の両端部近傍に至る中央部で最大にして外側に向かって漸次薄くなるように設定し、かつ前記規制板の前記中央部を前記誘導面の奥部および前記段差の奥部と平面的にオーバーラップさせると共に、該中央部を閉状態にある前記開閉扉よりも前方に突出させたことを特徴とするパチンコ機。
【発明の詳細な説明】
【技術分野】
【０００１】
本発明は、遊技球を用いて遊技を行うパチンコ機に係り、特に、大当たり発生時に開放動作されるアタッカ装置を備えたパチンコ機に関するものである。
【背景技術】
【０００２】
パチンコ機の中には、遊技盤の盤面をガイドレールによって略円形状の遊技領域に区画すると共に、この遊技領域に可変表示装置や始動入賞口やアタッカ装置等を配設し、遊技領域に向けて発射された遊技球が始動入賞口に入賞したことを契機に電子抽選を行い、その抽選結果に基づいて可変表示装置が図柄の変動表示および停止表示を行うようにした機種が存在する。電子抽選の抽選結果には当たりとハズレがあり、抽選結果が当たりの場合には、可変表示装置の表示画面に所定の特別図柄の組合せが表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。なお、始動入賞口や大入賞口等のいずれの入賞口にも入賞しなかった遊技球は、ガイドレールの湾曲した下部滑走面を滑走して遊技領域の最下部へ誘導された後、遊技領域の最下部位置に設けられたアウト口から遊技盤の裏面側に排出されるようになっている。このため、一般的にガイドレールの下部滑走面の最下位置にはアウト口に向かって下り勾配で傾斜する誘導面が設けられており、ガイドレールの最下位置まで滑走した遊技球が誘導面で斜め後方に方向転換されてアウト口へと導かれるようになっている。
【０００３】
従来より、このようなパチンコ機において、２つのアタッカ装置を上下２段に積層配置し、これら両アタッカ装置を可変表示装置とアウト口との間のスペース内に配置することによって、遊技盤のスペースを節約して入賞態様に変化を持たせるようにしたダブルアタッカと呼ばれるアタッカ装置が提案されている（例えば、特許文献１参照）。
【先行技術文献】
【特許文献】
【０００４】
【特許文献１】特開２００６−１８７３０９号公報
【発明の概要】
【発明が解決しようとする課題】
【０００５】
ところで近年、可変表示装置はますます大型化される傾向にあり、このように大型の可変表示装置を遊技領域の中央部に配設しようとすると、それに伴って可変表示装置とアウト口との間のスペースが狭められてしまうため、アタッカ装置をアウト口に対して十分に離間させることが難しくなる。その結果、ガイドレールを滑走する遊技球が誘導面の左右両側に生じる段差によって跳ね上がったとき、その遊技球がアタッカ装置の開閉扉に衝突しやすくなり、本来閉じているはずのアタッカ装置が誤動作するという問題が発生する。特に、２つのアタッカ装置を上下２段に積層配置したダブルアタッカを採用した場合、下段側のアタッカ装置とアウト口との間の離反距離が極端に短くなるため、上記した問題は顕著なものとなる。
【０００６】
本発明は、このような従来技術の実情に鑑みてなされたもので、その目的は、遊技球の跳ね上がりに起因するアタッカ装置の誤動作を防止することができるパチンコ機を提供することにある。
【課題を解決するための手段】
【０００７】
上記の目的を達成するために、本発明は、ガイドレールによって区画された略円形状の遊技領域を有する遊技盤と、前記遊技領域の最下部位置に設けられたアウト口と、このアウト口の上方に近接配置された開閉扉を有するアタッカ装置とを備え、電子抽選の結果に基づいて前記開閉扉が回動して大入賞口を開放するパチンコ機において、前記ガイドレールの下部滑走面に前記アウト口に向かって下り勾配で傾斜する誘導面が設けられていると共に、前記下部滑走面と前記誘導面との境界部に前記アウト口に向かって高さ寸法を漸次大きくする段差が形成されており、前記遊技盤の前面に前記下部滑走面に沿って左右方向へ延びる規制板を設け、この規制板を前記アウト口を包囲して前記開閉扉との間に延在させると共に該開閉扉よりも左右方向へ延出させ、前記規制板の板厚を前記アウト口の周囲から前記開閉扉の左右方向の両端部近傍に至る中央部で最大にして外側に向かって漸次薄くなるように設定し、かつ前記規制板の前記中央部を前記誘導面の奥部および前記段差の奥部と平面的にオーバーラップさせると共に、該中央部を閉状態にある前記開閉扉よりも前方に突出させる構成とした。
【０００８】
このように構成されたパチンコ機では、ガイドレールの下部滑走面の背面側にアウト口に向かって延びる規制板が設けてあり、この規制板をアウト口を包囲して開閉扉との間に延在させると共に開閉扉よりも左右方向へ延出させ、規制板の板厚をアウト口の周囲から開閉扉の左右方向の両端部近傍に至る中央部で最大にして外側に向かって漸次薄くなるように設定し、かつ、規制板の中央部をガイドレールに設けた誘導面の奥部と平面的にオーバーラップさせている。このため、ガイドレールの下部滑走面と誘導面との境界部に形成した段差のうち、最も段差の大きな誘導面の奥部が規制板の中央部によって上方から覆い隠される。したがって、ガイドレールの下部滑走面を滑走して誘導面へ向かう遊技球は、規制板によって段差の小さい誘導面の前方側へ位置規制された後、誘導面の下り勾配によってアウト口まで誘導されることとなり、ガイドレールを滑走する遊技球の段差での跳ね上がりが最小限に抑えられる。それゆえ、アウト口の真上にアタッカ装置を近接配置したとしても、アタッカ装置の開閉扉が遊技球の跳ね上がりによって誤動作してしまうことを防止できる。
【発明の効果】
【０００９】
本発明のパチンコ機は、遊技領域を区画するガイドレールの下部滑走面の背面側にアウト口に向かって延びる規制板が設けてあり、この規制板の板厚を中央部で最大にして外側に向かって漸次薄く設定すると共に、規制板の中央部をガイドレールに設けた誘導面の奥部と平面的にオーバーラップさせているため、ガイドレールの下部滑走面を滑走して誘導面へ向かう遊技球を規制板によって段差の小さい誘導面の前方側へ位置規制した後、誘導面の下り勾配を利用してアウト口まで誘導することができる。したがって、ガイドレールを滑走する遊技球の段差での跳ね上がりが最小限に抑えられ、アウト口の真上にアタッカ装置を近接配置したとしても、アタッカ装置の開閉扉が遊技球の跳ね上がりによって誤動作してしまうことを防止できる。
【図面の簡単な説明】
【００１０】
【図１】本発明の実施形態例に係るパチンコ機の外観を示す斜視図である。
【図２】図１のパチンコ機に備えられる遊技盤の正面図である。
【図３】図２の遊技盤に配置されたアタッカユニットの正面図である。
【図４】該アタッカユニットの底面図である。
【図５】該アタッカユニットの斜視図である。
【図６】図３のＡ−Ａ線に沿う断面図である。
【発明を実施するための形態】
【００１１】
図１に示すように、本発明の実施形態例に係るパチンコ機Ｐは、遊技場の島設備に設置される縦長方形状の機枠１と、機枠１に扉状に開閉自在に取り付けられた本体枠２と、本体枠２の内側に収容された後述する遊技盤３と、本体枠２の前面に開閉自在に取り付けられたガラス扉４と、ガラス扉４の下側で本体枠２の前面に開閉自在に取り付けられた前面ボード５と、前面ボード５の右下隅部に取り付けられた発射ハンドル６等を具備しており、前面ボード５には遊技球を収容する受皿７が設けられている。ガラス扉４の中央部には透明なガラス板８が取り付けられており、遊技盤３の前面（盤面）はこのガラス板８を通して外部から目視可能となっている。また、ガラス扉４の上部にはスピーカ９が左右に１個ずつ取り付けられており、これらスピーカ９から遊技に関する様々な効果音を発するようになっている。
【００１２】
図２に示すように、遊技盤３の前面（盤面）は上部ガイドレール１０と下部ガイドレール１１によって略円形状に区画された遊技領域１２となっており、発射ハンドル６が遊技者によって任意角度に回転操作されると、図示せぬ発射装置が受皿７に保留された遊技球を遊技領域１２に向けて連続的に打ち出すようになっている。遊技領域１２の上部中央付近には中央役物ユニット１３が配設されており、この中央役物ユニット１３は、中央部に矩形状の開口１４ａを有する装飾枠１４と、装飾枠１４の上壁部に配設された可動役物装置１５とを具備している。中央役物ユニット１３の裏面側には液晶パネル（ＬＣＤ）からなる可変表示装置１６が配設されており、この可変表示装置１６の表示画面は装飾枠１４の開口１４ａから露出している。
【００１３】
装飾枠１４には上側ステージ１７ａと下側ステージ１７ｂで構成される二段ステージ１７が設けられており、上側ステージ１７ａは開口１４ａの下辺に沿って左右方向へ延びている。上側ステージ１７ａの中央部には誘導孔（図示せず）が形成されており、この誘導孔は下側ステージ１７ｂの中央部下方に形成された導出口１８に連通している。下側ステージ１７ｂは上側ステージ１７ａの下面に沿って左右方向へ延びており、その中央部には前方側へ傾斜する溝（図示せず）が形成されている。また、装飾枠１４の左側壁には中空構造のワープ通路１４ｂが形成されており、このワープ通路１４ｂの両端は遊技領域１２と上側ステージ１７ａに向けて開口している。したがって、中央役物ユニット１３の左側の遊技領域１２を流下する遊技球がワープ通路１４ｂに入球すると、その遊技球はワープ通路１４ｂの内部を通って上側ステージ１７ａに排出された後、上側ステージ１７ａ上を転動して誘導孔から導出口１８へと導かれる。
【００１４】
二段ステージ１７の中央部の真下位置には上面に入賞孔を有する単純構造の第１始動入賞口１９が配設されており、上側ステージ１７ａ上を転動して導出口１８から排出された遊技球や下側ステージ１７ｂ上を転動して溝から落下した遊技球が高い確率で第１始動入賞口１９に入賞するようになっている。第１始動入賞口１９の真下には第２始動入賞口２０が近接配置されており、この第２始動入賞口２０は一対の可動片を有する電動チューリップ構造の始動入賞口となっている。そして、これら始動入賞口１９，２０のいずれか一方に遊技球が入賞すると、それを契機として特別図柄に係る電子抽選が行われ、その抽選結果に基づいて可変表示装置１６の表示画面上で演出用図柄の変動表示および停止表示が行われる。また、中央役物ユニット１３の左側の遊技領域１２には通過チャッカー２１が配設されており、遊技球がこの通過チャッカー２１を通過すると、それを契機として普通図柄に係る電子抽選が行われ、その抽選結果が当たりの場合に第２始動入賞口２０の両可動片を一時的に開放して遊技球の入賞を許可するようになっている。
【００１５】
可動役物装置１５は前述した特別図柄に係る電子抽選の結果を役物の可動態様によって遊技者に示唆することができる装置であり、本実施形態例の場合、「金」文字を施した円盤状の役物２２が用いられている。図示省略されているが、役物２２は装飾枠１４の右壁部内方に軸支されたアームの先端部に支持されており、例えばスーパーリーチ時にアームを軸部を中心に回転駆動すると、役物２２が可変表示装置１６の前面に沿って上下動するようになっている。
【００１６】
さらに、第２始動入賞口２０の真下位置にはアタッカユニット２３が配設されており、このアタッカユニット２３には第１アタッカ装置２４と第２アタッカ装置２５が上下二段に近接配置されている。アタッカユニット２３の詳細な構造については後述するが、上段側の第１アタッカ装置２４は、前面を横長形状に開口する大入賞口や、大入賞口に入賞した遊技球を検知するセンサユニットや、大入賞口の開口を開閉するアタッカ扉や、アタッカ扉を駆動するソレノイド等を具備しており、下段側の第２アタッカ装置２５も同様に構成されている。これらアタッカ装置２４，２５は、第１および第２始動入賞口１９，２０のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が第１の大当たり（例えば通常大当たり）の場合、第１アタッカ装置２４のアタッカ扉が複数回繰り返し開放動作してその大入賞口を露呈させ、特別図柄の抽選結果が第２の大当たり（例えば確変大当たり）の場合、第２アタッカ装置２５のアタッカ扉が複数回繰り返し開放動作してその大入賞口を露呈させる。第１アタッカ装置２４のアタッカ扉は１回の開放動作について例えば３０秒経過するまで、あるいは遊技球が大入賞口に例えば１０個入賞するまで開放状態を維持し、この間で１個の入賞に対して例えば１２個を賞球として払い出し、かかる開放動作を例えば１４回繰り返した後に大当たりが終了する。同様に、第２アタッカ装置２５のアタッカ扉は１回の開放動作について例えば３０秒経過するまで、あるいは遊技球が大入賞口に例えば１０個入賞するまで開放状態を維持し、この間で１個の入賞に対して例えば１５個を賞球として払い出し、かかる開放動作を例えば１７回繰り返した後に大当たりが終了する。
【００１７】
その他、遊技領域１２内には、遊技球の払い出しのみを行う複数の一般入賞口２６や、遊技球の流下経路を担う遊技釘２７と風車２８等が配設されており、いずれの始動入賞口１９，２０や一般入賞口２６にも入賞しなかった遊技球は、遊技領域１２の最下端部に設けられたアウト口２９から遊技盤３の裏面側に排出されるようになっている。
【００１８】
図３から図６に示すように、前記アタッカユニット２３は、第１アタッカ装置２４の大入賞口３０ａおよび第２アタッカ装置２５の大入賞口３０ｂが形成された合成樹脂製のユニットケース３０と、ユニットケース３０の前面にねじ止め等により固定された化粧板３１と、上段側の大入賞口３０ａを開閉する第１アタッカ扉３２と、下段側の大入賞口３０ｂを開閉する第２アタッカ扉３３と、第１アタッカ扉３２を駆動するソレノイド３４と、第２アタッカ扉３３を駆動するソレノイド３５と、上段側の大入賞口３０ａに入賞した遊技球を検知する図示せぬセンサユニットと、下段側の大入賞口３０ｂに入賞した遊技球を検知するセンサユニット３６等を具備している。なお、上段側の大入賞口３０ａと下段側の大入賞口３０ｂはいずれも横長矩形状に形成されているが、左右方向の寸法は同じでなく、下段側の大入賞口３０ｂの方が幾分長めに設定されている。
【００１９】
ユニットケース３０は遊技盤３に切り欠かれた空所内に収納されており、このユニットケース３０に一体化された化粧板３１の外縁部を遊技盤３の前面にねじ止めすることにより、アタッカユニット２３は遊技盤３に固定されるようになっている。化粧板３１は合成樹脂の成形品に金属メッキを施した板状部材であり、その下辺中央部にアウト口２９の上縁部を規定する切欠き３１ａが形成されている。また、化粧板３１の下辺部には規制板３１ｂが一体形成されており、この規制板３１ｂは下部ガイドレール１１の滑走面の背面側に沿って円弧状に延びている。下部ガイドレール１１の滑走面にはアウト口２９に向かって下り勾配で傾斜する誘導面１１ａが形成されており、下部ガイドレール１１の最下位置まで滑走した遊技球をこの誘導面１１ａで斜め後方に方向転換することにより、下部ガイドレール１１を滑走する遊技球がアウト口２９へ確実に導かれるようになっている。なお、下部ガイドレール１１の滑走面に対して誘導面１１ａが奥傾斜となっている関係上、下部ガイドレール１１の滑走面と誘導面１１ａとの境界部に側面視で楔状の段差が発生し、図６に示すように、この段差の高さは誘導面１１ａの手前側から奥側へ向かって次第に大きくなっている。
【００２０】
規制板３１ｂの板厚は切欠き３１ａの周囲を含む中央部が最大となっており、この中央部から左右両外側に向かって漸次薄くなるようなテーパ形状となっている（図４参照）。図６に示すように、規制板３１ｂの中央部は誘導面１１ａの奥部と平面的にオーバーラップしており、ガイドレール１１の滑走面と誘導面１１ａとの境界部に生じる段差のうち、最も段差の大きな誘導面１１ａの奥部は規制板３１ｂの中央部によって上方から覆い隠されている。また、同図に示すように、規制板３１ｂの中央部は閉状態にある第１アタッカ扉３２および閉状態にある第２アタッカ扉３３よりも前方に突出している。
【００２１】
第１アタッカ扉３２は横長形状の板状体であり、その下端側に設けられた左右一対の軸部がユニットケース３０と化粧板３１との間に回転可能に支持されている。通常、第１アタッカ扉３２は上段側の大入賞口３０ａを閉鎖する起立姿勢に保持されているが、ソレノイド３４への通電によって手前側へ回動して大入賞口３０ａを開放する。第２アタッカ扉３３も横長形状の板状体であり、その下端側に設けられた左右一対の軸部がユニットケース３０と化粧板３１との間に回転可能に支持されている。通常、第２アタッカ扉３３は下段側の大入賞口３０ｂを閉鎖する起立姿勢に保持されているが、ソレノイド３５への通電によって手前側へ回動して大入賞口３０ｂを開放する。前述したように、上段側の大入賞口３０ａに比べて下段側の大入賞口３０ｂの方が幾分大きめに形成されているため、それに対応するように第１アタッカ扉３２よりも第２アタッカ扉３３の方が幾分大きめに形成されている。そして、下側の第２アタッカ扉３３はアウト口２９（切欠き３１ａ）の真上の近接位置に配置されており、これら第２アタッカ扉３３とアウト口２９との間に規制板３１ｂの中央部が延在している。また、化粧板３１の前面には下段側の大入賞口３０ｂに向かって傾斜する案内部材３７が左右に一つずつ固着されており、第２アタッカ扉３３が開放動作しているとき、これら案内部材３７によって遊技球を第２アタッカ装置２５の大入賞口３０ｂに誘導できるようになっている。
【００２２】
以上説明したように、本実施形態例に係るパチンコ機Ｐでは、遊技領域１２の下側部分を区画する下部ガイドレール１１の滑走面の背面側にアウト口２９に向かって延びる規制板３１ｂを立設し、この規制板３１ｂの板厚を中央部で最大にして外側に向かって漸次薄く設定すると共に、規制板３１ｂの中央部を下部ガイドレール１１の最下位置に形成した誘導面１１ａの奥部と平面的にオーバーラップさせているため、下部ガイドレール１１の滑走面と誘導面１１ａとの境界部に生じる楔状の段差のうち、最も段差の大きな誘導面１１ａの奥部が規制板３１ｂの中央部によって上方から覆い隠されることになる。したがって、下部ガイドレール１１の滑走面を滑走して誘導面１１ａへ向かう遊技球は、規制板３１ｂのテーパー形状によって段差の小さい誘導面１１ａの前方側へ位置規制された後、誘導面１１ａの下り勾配によってアウト口２９まで誘導されることなり、下部ガイドレール１１を滑走する遊技球の段差での跳ね上がりが最小限に抑えられる。それゆえ、アウト口２９の真上に第２アタッカ装置２５を近接配置してあっても、第２アタッカ装置２５の第２アタッカ扉３３が遊技球の跳ね上がりによって不所望に開放してしまうという誤動作を防止できる。
【００２３】
また、第１アタッカ装置２４と第２アタッカ装置２５を上下二段に近接配置したダブルアタッカ構造のアタッカユニット２３を採用し、このアタッカユニット２３の前面に固着された化粧板３１の下辺部に規制板３１ｂを一体形成すると共に、この化粧板３１の前面に遊技球を下段側の第２アタッカ装置２５に導く案内部材３７を左右に一つずつ設けたので、ダブルアタッカ構造のアタッカユニット２３をアウト口２９の上方にコンパクトに配置することができると共に、第２アタッカ装置２５の第２アタッカ扉３３が開放動作されているときに、遊技球を左右一対の案内部材３７によって第２アタッカ装置２５の大入賞口３０ｂに導くことができる。
【００２４】
なお、上記実施形態例では、アタッカユニット２３の前面に設けられた化粧板３１の下辺部には規制板３１ｂを一体形成した場合について説明したが、かかる規制板３１ｂを化粧板３１と別体の単一部品として構成することも可能である。
【００２５】
また、上記実施形態例では、第１アタッカ装置２４と第２アタッカ装置２５を上下二段に近接配置したダブルアタッカ構造のアタッカユニット２３を採用した場合について説明したが、本発明はアウト口２９の上方にアタッカ装置を１つだけ配置したパチンコ機についても適用可能であり、その場合も、アタッカ装置をアウト口に近接配置できるため設計上の自由度が向上する。
【符号の説明】
【００２６】
３  遊技盤
１０  上部ガイドレール
１１  下部ガイドレール
１１ａ  誘導面
１２  遊技領域
２３  アタッカユニット
２４  第１アタッカ装置
２５  第２アタッカ装置
２９  アウト口
３０  ユニットケース
３０ａ，３０ｂ  大入賞口
３１  化粧板
３１ａ  切欠き
３１ｂ  規制板
３２  第１アタッカ扉（開閉扉）
３３  第２アタッカ扉（開閉扉）
３４，３５  ソレノイド
３７  案内部材
Ｐ  パチンコ機
【図１】
0005965020.tif 000002
【図２】
0005965020.tif 000003
【図３】
0005965020.tif 000004
【図４】
0005965020.tif 000005
【図５】
0005965020.tif 000006
【図６】
0005965020.tif 000007